(57)【特許請求の範囲】
【請求項１】
端末機と、前記端末機から要求されるデータ伝送率に応じて複数のスロットに構成される第１伝送区間で前記端末機にパケットデータを伝送する基地局を含む移動通信システムで、前記第１伝送区間以後の第２伝送区間で伝送されるパケットデータの伝送率を要求するために前記端末機でデータ伝送率制御(ＤＲＣ)情報を前記基地局に伝送する方法において、
前記第１伝送区間の最終スロット以前の予め設定されたスロットで前記基地局がスケジューリングを遂行するためにデータ伝送率を要請する指示を受信する過程と、
前記指示の受信に応答して前記ＤＲＣ情報を生成して前記基地局に伝送する過程と、を含むことを特徴とする前記方法。
【請求項２】
前記設定されたスロットは、前記最終スロットから少なくとも一つのスロット以前のスロットであることを特徴とする請求項１に記載の前記方法。
【請求項３】
前記設定されたスロットは、前記最終スロットから２番目以前までのスロットであることを特徴とする請求項１に記載の前記方法。
【請求項４】
要求されるデータ伝送率に応じて複数のスロットに構成される第１伝送区間でパケットデータを伝送する基地局と、前記第１伝送区間以後の第２伝送区間で伝送されるパケットデータの伝送率を要求するために、データ伝送率制御(ＤＲＣ)情報を前記基地局に伝送する端末機を含む移動通信システムの前記端末機において、
前記第１伝送区間の最終スロット以前の予め設定されたスロットで前記基地局がスケジューリングを遂行するためにデータ伝送率を要請する指示を受信する受信器と、
前記指示により前記ＤＲＣ情報を選択的に前記基地局に伝送する送信器と、を含むことを特徴とする前記端末機。
【請求項５】
前記設定されたスロットは、前記最終スロットから少なくとも一つのスロット以前のスロットであることを特徴とする請求項４に記載の前記端末機。
【請求項６】
前記設定されたスロットは、前記最終スロットから２番目以前までのスロットであることを特徴とする請求項４に記載の前記端末機。
【請求項７】
前記送信器は、
前記ＤＲＣ情報を受信し、前記ＤＲＣ情報を前記指示により選択的に出力する選択器と、
前記選択器の出力を予め設定された直交符号により拡散する拡散器と、を含むことを特徴とする請求項４に記載の前記端末機。
【請求項８】
パケットデータを伝送する基地局と、前記伝送されるパケットデータの伝送率を前記基地局に要求する端末機を含む移動通信システムで、前記端末機でのデータ伝送率制御(ＤＲＣ)情報伝送を前記基地局で制御する方法において、
複数のスロットに構成される第１伝送区間で前記端末機にパケットデータが伝送される時、前記第１伝送区間の最終スロットを判断する過程と、
前記最終スロット以前の予め設定されたスロットで前記第１伝送区間以後の第２伝送区間で使用されるＤＲＣ情報を前記端末機が前記基地局で遂行されるスケジューリングのためにデータ伝送率を要請する指示を前記端末機に伝送する過程と、を含むことを特徴とする前記方法。
【請求項９】
前記設定されたスロットは、前記最終スロットから少なくとも一つのスロット以前のスロットであることを特徴とする請求項８に記載の前記方法。
【請求項１０】
前記設定されたスロットは、前記最終スロットから２番目以前までのスロットであることを特徴とする請求項８に記載の前記方法。
【請求項１１】
パケットデータを伝送する基地局と、前記伝送されるパケットデータの伝送率を前記基地局に要求する端末機を含む移動通信システムで、前記端末機でのデータ伝送率制御(ＤＲＣ)情報伝送を制御するための前記基地局において、
複数のスロットに構成される第１伝送区間で前記端末機にパケットデータが伝送される時、前記第１伝送区間の最終スロットを判断する制御器と、
前記最終スロット以前の予め設定されたスロットで前記第１伝送区間以後の第２伝送区間で使用されるＤＲＣ情報を前記端末機が前記基地局で遂行されるスケジューリングのためにデータ伝送率を要請する指示を前記端末機に伝送する送信器と、を含むことを特徴とする前記基地局。
【請求項１２】
前記設定されたスロットは、前記最終スロットから少なくとも一つのスロット以前のスロットであることを特徴とする請求項１１に記載の前記基地局。
【請求項１３】
前記設定されたスロットは、前記最終スロットから２番目以前までのスロットであることを特徴とする請求項１１に記載の前記基地局。
【請求項１４】
前記送信器は、前記指示を予め設定された直交符号により拡散する拡散器をさらに含むことを特徴とする請求項１１に記載の前記基地局。
【請求項１５】
要求されるデータ伝送率に応じて複数のスロットに構成される第１伝送区間でパケットデータを伝送し、前記第１伝送区間の最終スロット以前の予め設定されたスロットで前記基地局がスケジューリングを遂行するためにデータ伝送率を要請する指示を伝送する基地局と、
前記第１伝送区間以後の第２伝送区間で伝送されるパケットデータの伝送率を要求するために、前記指示者によりデータ伝送率制御(ＤＲＣ)情報を選択的に前記基地局に伝送する端末機と、を含む移動通信システム。
【請求項１６】
前記端末機は、
前記指示を前記基地局から受信する受信器と、
前記指示により前記ＤＲＣ情報を選択的に前記基地局に伝送する送信器と、を含むことを特徴とする請求項１５に記載の移動通信システム。
【請求項１７】
前記送信器は、
前記ＤＲＣ情報を受信し、前記ＤＲＣ情報を前記指示により選択的に出力する選択器と、
前記選択器の出力を予め設定された直交符号により拡散する拡散器と、を含むことを特徴とする請求項１６に記載の移動通信システム。
【請求項１８】
前記基地局は、
前記第１伝送区間で前記端末機にパケットデータが伝送される時、前記第１伝送区間の最終スロットを判断する制御器と、
前記指示を前記端末機に伝送する送信器と、を含むことを特徴とする請求項１５に記載の移動通信システム。
【請求項１９】
前記送信器は、前記指示を予め設定された直交符号により拡散する拡散器を含むことを特徴とする請求項１８に記載の移動通信システム。
【請求項２０】
前記設定されたスロットは、前記最終スロットから少なくとも一つのスロット以前のスロットであることを特徴とする請求項１５に記載の移動通信システム。
【請求項２１】
前記設定されたスロットは、前記最終スロットから２番目以前までのスロットであることを特徴とする請求項１５に記載の移動通信システム。
【請求項２２】
予め要求されたデータ伝送率に応じて複数のスロットに構成される第１伝送区間でパケットデータを伝送する基地局と、複数の端末機を含み、前記複数の端末機は前記第１伝送区間でパケットデータを受信する少なくとも一つ以上の端末機を含む第１グループの端末機と、前記第１伝送区間でパケットデータを受信しなく前記第１伝送区間以後の第２伝送区間でパケットデータを受信するための第２グループの端末機に区分される移動通信システムで、前記第２グループの端末機で前記基地局にデータ伝送率制御(ＤＲＣ)情報を伝送する方法において、
受信プリアンブルと前記複数の端末機それぞれに対して予め設定された複数の直交符号を乗算することにより、前記第１グループの端末機を判断する過程と、
前記第１伝送区間で前記第１グループの端末機に伝送されるパケットデータの長さを前記プリアンブルから検出し、前記第１伝送区間の最終スロットを判断する過程と、
前記最終スロット以前の予め設定されたスロットで前記ＤＲＣ情報を生成して前記基地局に伝送する過程と、を含むことを特徴とする前記方法。
【請求項２３】
前記設定されたスロットは、前記最終スロットから少なくとも一つのスロット以前のスロットであることを特徴とする請求項２２に記載の前記方法。
【請求項２４】
前記設定されたスロットは、前記最終スロットから２番目以前までのスロットであることを特徴とする請求項２２に記載の前記方法。
【請求項２５】
予め要求されたデータ伝送率に応じて複数のスロットに構成される第１伝送区間でパケットデータを伝送する基地局と、複数の端末機を含み、前記複数の端末機は前記第１伝送区間でパケットデータを受信する少なくとも一つ以上の端末機を含む第１グループの端末機と、前記第１伝送区間でパケットデータを受信しなく前記第１伝送区間以後の第２伝送区間でパケットデータを受信するための第２グループの端末機に区分される移動通信システムで、前記基地局にデータ伝送率制御(ＤＲＣ)情報を伝送する前記第２グループの端末機において、
受信プリアンブルと前記複数の端末機それぞれに対応する複数の直交符号を乗算することにより、前記第１グループの端末機を判断する乗算器と、
前記第１伝送区間で前記第１グループの端末機に伝送されるパケットデータの長さを前記プリアンブルから検出するパケット長さ検出器と、
前記検出結果から前記第１伝送区間の最終スロットを判断する制御器と、
前記制御器の制御下に前記最終スロット以前の予め設定されたスロットで前記ＤＲＣ情報を選択的に前記基地局に伝送する送信器と、を含むことを特徴とする前記端末機。
【請求項２６】
前記設定されたスロットは、前記最終スロットから少なくとも一つのスロット以前のスロットであることを特徴とする請求項２５に記載の前記端末機。
【請求項２７】
前記設定されたスロットは、前記最終スロットから２番目以前までのスロットであることを特徴とする請求項２５に記載の前記端末機。
【請求項２８】
前記乗算器による乗算結果を累積する累積器と、
前記累積結果に対応するエネルギー値を検出し、その検出結果を前記パケット長さ検出器に提供するエネルギー検出器と、を含むことを特徴とする請求項２５に記載の前記端末機。
【請求項２９】
前記送信器は、
前記ＤＲＣ情報を受信し、前記ＤＲＣ情報を前記制御器の制御下に選択的に出力する選択器と、
前記選択器の出力を予め設定された直交符号により拡散する拡散器と、を含むことを特徴とする請求項２５に記載の前記端末機。
【請求項３０】
予め要求されたデータ伝送率に応じて複数のスロットに構成される第１伝送区間でパケットデータを伝送する基地局と、複数の端末機を含み、前記複数の端末機は前記第１伝送区間でパケットデータを受信する少なくとも一つ以上の端末機を含む第１グループの端末機と、前記第１伝送区間でパケットデータを受信しなく前記第１伝送区間以後の第２伝送区間でパケットデータを受信するための第２グループの端末機に区分される移動通信システムで、前記第１グループの端末機で前記基地局にデータ伝送率制御(ＤＲＣ)情報を伝送する方法において、
前記第１伝送区間の最終スロットを判断する過程と、
前記最終スロット以前の予め設定されたスロットで前記ＤＲＣ情報を生成して前記基地局に伝送する過程と、を含むことを特徴とする前記方法。
【請求項３１】
前記設定されたスロットは、前記最終スロットから少なくとも一つのスロット以前のスロットであることを特徴とする請求項３０に記載の前記方法。
【請求項３２】
前記設定されたスロットは、前記最終スロットから２番目以前までのスロットであることを特徴とする請求項３０に記載の前記方法。
【請求項３３】
予め要求されたデータ伝送率に応じて複数のスロットに構成される第１伝送区間でパケットデータを伝送する基地局と、複数の端末機を含み、前記複数の端末機は前記第１伝送区間でパケットデータを受信する少なくとも一つ以上の端末機を含む第１グループの端末機と、前記第１伝送区間でパケットデータを受信しなく前記第１伝送区間以後の第２伝送区間でパケットデータを受信するための第２グループの端末機に区分される移動通信システムで、前記基地局にデータ伝送率制御(ＤＲＣ)情報を伝送する前記第１グループの端末機において、
プリアンブルを検出するプリアンブル検出器と、
前記第１伝送区間で伝送されるパケットデータの長さを前記プリアンブルから検出するパケット長さ検出器と、
前記パケット長さに基づいて前記第１伝送区間の最終スロットを判断する制御器と、
前記制御器の制御下に前記最終スロット以前の予め設定されたスロットで前記ＤＲＣ情報を選択的に前記基地局に伝送する送信器と、を含むことを特徴とする前記端末機。
【請求項３４】
前記設定されたスロットは、前記最終スロットから少なくとも一つのスロット以前のスロットであることを特徴とする請求項３３に記載の前記端末機。
【請求項３５】
前記設定されたスロットは、前記最終スロットから２番目以前までのスロットであることを特徴とする請求項３３に記載の前記端末機。
【請求項３６】
前記送信器は、
前記ＤＲＣ情報を受信し、前記ＤＲＣ情報を前記制御器の制御下に選択的に出力する選択器と、
前記選択器の出力を予め設定された直交符号により拡散する拡散器と、を含むことを特徴とする請求項３３に記載の前記端末機。
【請求項３７】
受信プリアンブルと少なくとも一つ以上の複数の端末機それぞれに対応する複数の直交符号を順次的に乗算する乗算器と、
前記乗算結果から前記複数の端末機中、パケットデータが受信された端末機及び前記パケットデータの長さを検出する検出器と、
前記パケットデータの長さを利用して前記パケットデータの伝送終了区間を判断する制御器と、
前記伝送終了区間以前の予め設定された区間でデータ伝送率制御(ＤＲＣ)情報を選択的に基地局に伝送する送信器と、を含むことを特徴とする移動通信システムの端末機。
【請求項３８】
前記伝送区間が複数のスロットに構成される場合、前記設定された区間は前記複数のスロットの最終スロットから少なくとも一つのスロット以前のスロットであることを特徴とする請求項３７に記載の移動通信システムの端末機。
【請求項３９】
前記伝送区間が複数のスロットに構成される場合、前記設定された区間は前記複数のスロットの最終スロットから２番目以前までのスロットであることを特徴とする請求項３７に記載の移動通信システムの端末機。
【請求項４０】
基地局と、第１グループの端末機と第２グループの端末機に構成され前記基地局にデータ伝送率制御(ＤＲＣ)情報を選択的に伝送する複数の端末機を含む移動通信システムで、前記端末機で前記基地局に信号を送信する方法において、
前記各端末機で前記ＤＲＣ情報が伝送されるかを判断する過程と、
前記ＤＲＣ情報が伝送されない場合、前記第１グループの端末機で前記基地局のスケジューリングのためのデータ伝送率を要請する指示とパイロット信号を複数の多重化スロット中、予め設定された第１グループのスロットで前記基地局に伝送する過程と、
前記ＤＲＣ情報が伝送されない場合、前記第２グループの端末機で前記基地局のスケジューリングのためのデータ伝送率を要請する指示と前記パイロット信号を前記複数の多重化スロット中、前記第１グループのスロットを除去した残りのスロットである第２グループのスロットで前記基地局に伝送する過程と、を含むことを特徴とする前記方法。
【請求項４１】
前記第１グループのスロットは、前記複数の多重化スロット中、奇数番目スロットであることを特徴とする請求項４０に記載の前記方法。
【請求項４２】
前記第２グループのスロットは、前記複数の多重化スロット中、偶数番目スロットであることを特徴とする請求項４０に記載の前記方法。
【発明の詳細な説明】
【０００１】
【発明の属する技術分野】
本発明はパケットデータ伝送のための移動通信システムに関するもので、特に伝送率制御（Ｄａｔｅ Ｒａｔｅ Ｃｏｎｔｒｏｌ：以下、ＤＲＣ）情報を伝送する方法及び装置に関する。
【０００２】
【従来の技術】
最近、符号分割多重接続（Ｃｏｄｅ Ｄｉｖｉｓｉｏｎ Ｍｕｌｔｉｐｌｅ Ａｃｃｅｓｓ）方式の移動通信システム（以下、“ＣＤＭＡシステム”）で高速データ（またはパケットデータ）の伝送をできるようにする多くの研究がなされている。高速データ伝送のためのチャネル構造を有する代表的な移動通信システムが、いわゆる“ＨＤＲ（Ｈｉｇｈ Ｄａｔａ Ｒａｔｅ）（またはＨＤＲシステム）”である。前記ＨＤＲシステムはＩＳ−２０００システムのデータ通信補完のため、３ＧＰＰ２（３ｒｄ Ｇｅｎｅｒａｔｉｏｎ Ｐａｒｔｎｅｒｓｈｉｐ Ｐｒｏｊｅｃｔ ２）で提案されたＨＤＲ規格の移動通信システムである。
【０００３】
前記ＨＤＲシステムは、チャネルの状態に応じて符号化率と変調方式を変更してデータ伝送率を調節するリンク適応（Ｌｉｎｋ Ａｄａｐｔａｔｉｏｎ）方式を使用する。前記ＨＤＲシステムの順方向リンクではパイロット（Ｐｉｌｏｔ）チャネル、ＭＡＣ（Ｍｅｄｉａ Ａｃｃｅｓｓ Ｃｏｎｔｒｏｌ）チャネル、トラヒック（Ｔｒａｆｆｉｃ）チャネル、制御（Ｃｏｎｔｒｏｌ）チャネルが時分割多重化（ＴＤＭ：Ｔｉｍｅ Ｄｉｖｉｓｉｏｎ Ｍｕｌｔｉｐｌｅｘｉｎｇ）され伝送される。リンク適応方式を使用した順方向トラヒックチャネルはＱＰＳＫ（Ｑｕａｄｒａｔｕｒｅ Ｐｈａｓｅ Ｓｈｉｆｔ Ｋｅｙｉｎｇ）、８ＰＳＫ（８−ａｒｙ Ｐｈａｓｅ Ｓｈｉｆｔ Ｋｅｙｉｎｇ）及び１６ＱＡＭ（１６−ａｒｙ Ｑｕａｄｒａｔｕｒｅ Ａｍｐｌｉｔｕｄｅ Ｍｏｄｕｌａｔｉｏｎ）などの３種類の変調方式と、１／４、３／８及び１／２の３種類の符号化率、そしてパケットが伝送されるスロット数の組合せにより、１３種類のデータ伝送率に伝送されることができる。
【０００４】
端末機（Ａｃｃｅｓｓ Ｔｅｒｍｉｎａｌ：ＡＴ）は８個の有効セクターから受信された順方向パイロットチャネルの受信信号対干渉比（Ｃａｒｒｉｅｒ ｔｏ Ｉｎｔｅｒｆｅｒｅｎｃｅ ｒａｔｉｏ：以下、“Ｃ／Ｉ”）を測定し、チャネル状態を推定し、次のチャネルの変化を予測して順方向トラヒックチャネルのデータ伝送率を要求する。このような要求、即ち前記端末機がデータ伝送率を要求するために逆方向リンクで前記基地局に帰還伝送されるチャネルは、データ伝送率制御（Ｄａｔａ Ｒａｔｅ Ｃｏｎｔｒｏｌ：以下、“ＤＲＣ”）チャネルといわゆる。前記端末機は前記ＤＲＣチャネルを通じて順方向トラヒックチャネルのデータ伝送率及び８個の有効セクター（アクティブセットセクター）中、受信器にデータを伝送するセクターを要求する。即ち、前記端末機は有効セクターのパイロットチャネルＣ／Ｉを測定してデータ伝送率及びセクターを決定し、このように決定されたデータ伝送率情報は４ビットのＤＲＣシンボルに、セル選択（Ｃｅｌｌ Ｓｅｌｅｃｔｉｏｎ）情報は８ビットの直交（ウォルシュ）拡散符号を決定する３ビットインデックス（Ｉｎｄｅｘ）にＤＲＣ情報を構成して前記基地局に伝送する。
【０００５】
図１は一般的なＨＤＲシステムで逆方向チャネル間の関係を示す図であり、逆方向リンクを通じたパイロットチャネル、ＤＲＣチャネル、ＲＲＩ（Ｒｅｖｅｒｓｅ Ｒａｔｅ Ｉｎｄｉｃａｔｏｒ）チャネルの穿孔パターンを示している。
【０００６】
前記図１で、ＲＲＩチャネルは逆方向トラヒックチャネルのデータ伝送率を示すチャネルであり、ＤＲＣチャネルは上述したように基地局にＤＲＣ情報を伝送するチャネルである。前記ＤＲＣチャネルに伝送されるＤＲＣ情報の各ビットは１度ずつ反復された後、セクターを表示する８ビットウォルシュ符号により拡散され、さらに４ビットウォルシュ符号に拡散される。この時、ＤＲＣシンボルは総５１２のチップを有し、前記５１２チップのＤＲＣ情報はもう一度反復されスロットごとにＤＲＣチャネルに割り当てられた１０２４チップを満たす。前記１０２４チップのＤＲＣ情報は６４チップずつ１６個のＴＤＭスロットに分けて図１のように穿孔された後、パイロットチャネル及びＲＲＩチャネルと共に時分割多重され伝送される。基地局がＤＲＣチャネルを通じてセクター内の端末機が要求するデータ伝送率を受信すると、基地局は各使用者のパケットデータ量及び要求するデータ伝送率に応じてセクター内の使用者データに対してスケジューリング（Ｓｃｈｅｄｕｌｉｎｇ）し、次のスロットでデータパケットを受信する端末機を選択する。基地局は次のスロットから一つのパケット区間の間、選択された端末機にその端末機が要求したデータ伝送率にデータパケットを送信する。
【０００７】
図２は一般的なＨＤＲシステムの順方向リンクの伝送率によるデータパケットの長さを示す図である。
前記図２を参照すると、順方向トラヒックチャネルは端末機が要求したデータ伝送率に応じて異なる長さのパケットを伝送する。一つのパケットの伝送が完了されると、基地局はセクター内の端末機から受信されたＤＲＣ情報を参照して、さらにスケジューリングして次のスロットから順方向トラヒックチャネルにサービスされる端末機と、その端末機のデータ伝送率を決定する。前記基地局はパケットを受信する端末機と、そのパケットの長さを知らせるために各パケットのスタート部分にプリアンブル（Ｐｒｅａｍｂｌｅ）を伝送する。プリアンブルは各端末機に割り当てられたＭＡＣインデックスに対応するウォルシュ符号がかけられ、パケットのデータ伝送率に応じて反復回数が決定される。下記の＜表１＞はパケットデータ伝送率に対するプリアンブル反復回数及びチップ数を示す。端末機は自分に割り当てられたＭＡＣインデックスに対応するウォルシュ符号を使用してプリアンブルを探索し、データ伝送率を確認する。
【表１】
0003602524.tif 000002
【０００８】
このように、ＨＤＲシステムの順方向リンクで一つのパケットの伝送が終了し、新しいパケットを伝送する時に、基地局は多数の使用者のパケットデータに対してスケジューリングする。このため、基地局はパケット伝送の終了直前に各端末機のＤＲＣ情報を参照する。この時、ＤＲＣ情報は逆方向リンクでスロットごとに伝送されることに注意すべきである。事実、スケジューリングが遂行されない場合は、ＤＲＣ情報が必要でないが、ＤＲＣチャネルを通じてＤＲＣ情報は継続的に伝送される。このようなＤＲＣチャネルを通じたＤＲＣ情報の継続的な伝送は逆方向リンクの資源を続けて占有するものであり、結果的には逆方向リンクのシステム容量を減少させるとの問題点がある。特に、順方向リンクで低いデータ伝送率（例：図２の３８．４ｋｂｐｓ、７６．８ｋｂｐｓ）にデータを伝送する場合、このような問題点はより悪化される。これは、順方向リンクでいずれか一つのパケットが伝送される間、逆方向リンクのＤＲＣ情報はそのパケットが終了する直前に施行されるスケジューリング時点のみに使用されるので、その以前のＤＲＣ情報は必要としないためである。従って、低いデータ伝送率にデータを伝送する場合は、長いパケットを伝送する場合（スロットの数が増加する場合）に該当するので、これによってＤＲＣ情報を必要としないスロットの数は増える。ＤＲＣチャネルの持続的な伝送は逆方向リンクでのＤＲＣチャネルによる干渉負荷をかなり大きくするので、ＤＲＣ情報が必要でない場合に、ＤＲＣチャネルを伝送しないと、逆方向リンクで干渉を低減することができ、逆方向リンクのシステム容量を増大させることができる。
【０００９】
【発明が解決しようとする課題】
従って、本発明の目的は、ＨＤＲのような移動通信システムで順方向リンクのデータ伝送率を決定するために逆方向を通じて伝送されるＤＲＣ情報をスケジューリングが必要な場合のみに伝送する方法及び装置を提供することにある。
本発明の他の目的は、ＨＤＲのような移動通信システムで逆方向リンクの干渉負荷を低減する方法及び装置を提供することにある。
本発明のさらに他の目的は、ＨＤＲのような移動通信システムで逆方向リンクのシステム容量を増大させる方法及び装置を提供することにある。
本発明のさらに他の目的は、ＨＤＲのような移動通信システムの逆方向リンクでＤＲＣ情報を伝送しない時点で発生する干渉負荷を低減する方法及び装置を提供することにある。
【００１０】
【課題を解決するための手段】
このような目的を達成するための本発明は、パケットデータ伝送のための移動通信システムでＤＲＣ情報を送／受信するための装置及び方法を提供する。ＨＤＲのような移動通信システムで順方向リンクのデータ伝送率を決定するために、逆方向に伝送されるＤＲＣ情報をスケジューリングが必要な時点のみに伝送されるようにする。ＤＲＣ情報の伝送を制御するために、基地局はＤＲＩ（ＤＲＣ Ｒｅｑｕｅｓｔ Ｉｎｄｉｃａｔｏｒ）ビットを伝送するか、端末機はすべての使用者のプリアンブルを検出するか、使用者自分のプリアンブルを検出する。またＤＲＣ情報の伝送制御と共に、使用者間にパイロットチャネルとＲＲＩチャネルの伝送時点を異なるように制御する。このような本発明は逆方向リンクの干渉負荷を低減し、システム容量を増大させる利点がある。
【００１１】
【発明の実施の形態】
以下、本発明の望ましい実施形態を添付図を参照しつつ詳細に説明する。下記の発明において、本発明の要旨のみを明瞭にする目的で、関連した公知機能又は構成に関する具体的な説明は省略する。
先ず、本発明はＨＤＲのような移動通信システムで順方向リンクのデータ伝送率を決定するために、逆方向に伝送されるＤＲＣ情報をスケジューリングが必要な時点のみに伝送されるようにする。即ち、本発明はＨＤＲシステムで基地局が新しいパケットを伝送する必要がある時、以前パケットの伝送が終了される直前の時点のみに端末機がＤＲＣ情報を伝送するようにする。このような本発明によると、ＤＲＣ情報の伝送が必要な時点であるかに対する判断が遂行され、前記判断結果によりＤＲＣ情報の伝送が必要な時点のみにＤＲＣ情報を選択的に伝送する。また本発明によると、ＤＲＣ情報の伝送が遂行されない時点でも逆方向リンクでの干渉負荷を低減するため、使用者間パイロットチャネルとＲＲＩチャネルの伝送時点を異なるようにする。このような本発明による動作は、下記のような実施形態に区分され説明される。下記＜実施形態１＞乃至＜実施形態３＞ではＤＲＣ情報の伝送が必要な時点であるかに対する判断及びその判断結果によりＤＲＣ情報を選択的に伝送する動作が説明される。下記＜実施形態４＞では＜実施形態１＞乃至＜実施形態３＞に追加して使用者間パイロットチャネルとＲＲＩチャネルの伝送時点を異なるようにして、逆方向リンクでの干渉負荷を低減する方法が説明される。
【００１２】
＜実施形態１＞
図３は本発明の第１実施形態によるＤＲＣチャネル伝送制御動作時の順方向リンク及び逆方向リンク間のスロット送受信関係を示す図である。この実施形態はＤＲＩ（ＤＲＣ Ｒｅｑｕｅｓｔ Ｉｎｄｉｃａｔｏｒ）ビットを導入してＤＲＣチャネルを制御することに特徴がある。ここでは７６．８ｋｂｐｓの伝送率に限定して示しているが、すべての伝送率に対しても一般化できるとの事実に注意する必要がある。
【００１３】
前記図３を参照すると、本発明の基地局（ＡＮ：Ａｃｃｅｓｓ Ｎｅｔｗｏｒｋ）は全体使用者（端末機）（ＡＴ：Ａｃｃｅｓｓ Ｔｅｒｍｉｎａｌ）に逆方向ＤＲＣチャネルの伝送が必要であるかを知らせて全体使用者のＤＲＣチャネルの伝送を制御する。このような情報を知らせるために、基地局はＭＡＣチャネルを通じてＤＲＩビットを伝送する。前記ＤＲＩビットは予め設定されたスロット区間後でスケジューリングのためＤＲＣ情報を必要とするかを知らせる情報である。前記ＤＲＣ情報は現在順方向パケットの伝送が前記設定されたスロット区間内に終了して、次のスロットからパケットを受信する端末機と伝送率を決定すべきである場合に必要とする。前記ＤＲＩビットは順方向パケットの伝送が前記設定されたスロット区間内に終了する場合には、“１”の値を伝送し、終了しなく続けて伝送される場合には“０”の値を伝送する。前記設定されたスロット区間内に基地局がＤＲＣ情報を要請し、要請した情報を受信すると、これによって基地局は次に伝送されるパケットに対するデータ伝送率を決定する。言い換えれば、基地局が端末機に複数のスロットに構成される第１伝送区間でパケットを伝送している状態で、前記第１伝送区間以後の第２伝送区間で新しいパケットを伝送しようとすると仮定する時、前記基地局は前記第１伝送区間の最終スロットの後半スロットで前記第２伝送区間にパケットを伝送する端末機及びこの時のデータ伝送率を決定するスケジューリングを遂行する。このため、基地局は前記第１伝送区間の予め設定されたスロットで端末機にＤＲＣ情報を要請するためのＤＲＩビットを伝送する。ここで前記設定されたスロットは前記第１伝送区間の最終スロットから少なくとも一つのスロット以前のスロットに決定されることができる。望ましくは、前記設定されたスロットは前記最終スロットから２番目以前スロットに決定されることができる。また前記設定されたスロットは前記最終スロットから２番目以前までのスロットに決定されることができるが、これは第２伝送区間で一つのスロットに構成されるパケットが伝送される場合も考慮したものである。例えば、最終スロットが１６番目スロットであると、前記設定されたスロットは１４番目スロット、または１４番目スロット、１５番目スロット及び１６番目スロットになる。勿論、必要によって、前記設定されたスロットは異なる値に設定されることができる。
【００１４】
図４は本発明の第１実施形態によるＤＲＣチャネル伝送制御動作の流れを示す図であり、ＤＲＩビットを受信して端末機がＤＲＣチャネルの伝送を制御するアルゴリズムを示す。
前記図４を参照すると、端末機は４０１段階で順方向ＭＡＣチャネル信号からＤＲＩビットを読み出し、４０２段階でこの読み出したＤＲＩビットの値が“１” または“０”であるかを判断する。前記読み出したＤＲＩビットが“１”の値を有すると、端末機は４０３段階で有効セクター（アクティブセットセクター）のパイロットＣ／Ｉをそれぞれ測定し、４０４段階で一番大きなＣ／Ｉに該当するセクターを決定し、４０５段階で前記一番大きなＣ／Ｉを対応するＤＲＣシンボルに変換し、４０６段階でこのＤＲＣシンボルを基地局に送信する。前記４０６段階を遂行した以後には４０７段階で次のスロットを受信し、４０１段階に戻して上述した動作を反復する。ここで、ＤＲＣシンボルを生成する過程は公知のように一連のＣ／Ｉに対応するＤＲＣシンボル中で該当するＤＲＣシンボルをマッピングすることにより遂行される。
【００１５】
前記４０２段階でＤＲＩビットの値が“０”であると、端末機は４０３段階乃至４０６段階の動作を遂行しなく、４０７段階に進行することにより、上述したＣ／Ｉ測定及びＤＲＣシンボルの送信動作を省略し、次のスロットを受信する。
【００１６】
さらに図３を参照すると、ｎ番目順方向スロットのＤＲＩビットはｎ＋１番目逆方向スロットのＤＲＣチャネルを制御し、このＤＲＣチャネルがｎ＋２番目スロット区間に到着して、ｎ＋３番目順方向スロットのデータ伝送率を決定する。即ち、第２伝送区間で伝送される新しいパケットのデータ伝送率を決定するためには、前記第２伝送区間以前の第１伝送区間で伝送されていたパケットの終了３スロット前に（前記第１伝送区間の最終スロットから２番目以前スロットで）ＤＲＣ情報を要請しないと、スケジューリング時点にＤＲＣ情報を受信してデータ伝送率を決定することができない。従って基地局ではパケット伝送終了の３スロット前からはＤＲＩビットに“１”の値を伝送し、その以外のスロットでは“０”の値を伝送する。従って、パケットの長さがＮスロットであると、ＤＲＣチャネルを伝送する必要がないスロットの数はＮ−３になる。ＤＲＣチャネルが必要でないスロットの比率は（Ｎ−３）／Ｎになり、下記の＜表２＞はデータ伝送率に対するＤＲＣチャネルが必要でないスロットの比率を示す。パケットの長さが３スロット以下である場合には、すべてのスロットでＤＲＣチャネルを伝送する。１５３．６ｋｂｐｓ以下の伝送率と長いパケット３０７．２ｋｂｐｓ伝送率ではスロット区間でＤＲＣチャネル伝送による干渉負荷を低減することができる。
【表２】
0003602524.tif 000003
【００１７】
図５は本発明の第１実施形態による基地局の送信器構造を示す図であり、この送信器はＤＲＩ（ＤＲＣ Ｒｅｑｕｅｓｔ Ｉｎｄｉｃａｔｏｒ）ビットを導入したことを特徴とする。
前記図５を参照すると、トラヒックチャネルは符号化器５０１で符号化され、変調器５０２で伝送率に応じてＱＰＳＫ、８ＰＳＫ、１６ＱＡＭなどに変調され、インタリーバ５０３でインタリービングを遂行する。インタリービングされたトラヒックチャネル信号は穿孔及び反復器５０４でデータ伝送率に応じて穿孔及び反復され、デマルチプレクサ５０５で１６個の連続されたビットを１６個の並列チャネルに伝送する。１６個の各チャネルはウォルシュカバー処理器５０６で１６個の直交ウォルシュ符号が乗算され、合算器（Ｗａｌｓｈ Ｃｈｉｐ Ｌｅｖｅｌ Ｓｕｍｍｅｒ）５０７でチップレベルに合算される。プリアンブルはプリアンブル反復器５１１でデータ伝送率に応じて反復され、ウォルシュ拡散器５１２で逆方向電力制御チャネルに割り当てられたウォルシュ符号のようなウォルシュ符号により拡散される。トラヒックチャネル及びプリアンブルは第１マルチプレクサ５１３でマルチプレクシングされ、これによってプリアンブルがトラヒックチャネルのスタート区間で連接され第２マルチプレクサ５６２に伝達される。
【００１８】
下記では本発明と関連するＤＲＩビットに対する送信器構造に対して詳細に説明する。順方向ＭＡＣチャネルでパイロットとＦＡ（Ｆｏｒｗａｒｄ Ａｃｔｉｖｉｔｙ）ビット、ＲＡ（Ｒｅｖｅｒｓｅ Ａｃｔｉｖｉｔｙ）ビットにそれぞれウォルシュ０番、１番、２番符号がかけられて伝送され、残りの２９個のウォルシュ符号は各使用者に対する逆方向電力制御（ＲＰＣ：Ｒｅｖｅｒｓｅ Ｐｏｗｅｒ Ｃｏｎｔｒｏｌ）ビットにかけられて伝送される。ＲＰＣビットのため使用される２９個のウォルシュ符号中の一つをＤＲＩビットの伝送のため割り当てて使用することができる。一例に、ＤＲＩビットの伝送のためウォルシュ３番を割り当てることができる。従って本発明の基地局送信器の構造によると、ＦＡビットは反復器５２１で１６回反復され乗算器５２２によりウォルシュ１番符号が乗算され、ＲＡビットは反復器５３１でＲＡＢ長さ指数だけ反復され、乗算器５３２によりウォルシュ２番符号が乗算され、ＤＲＩビットは乗算器５４１によりウォルシュ３番符号が乗算される。ＲＰＣビットはＲＰＣチャネル利得制御器５５１によりＲＰＣチャネル利得が制御され、乗算器５５２により残りのウォルシュ符号が前記チャネル利得制御されたＲＰＣビットにそれぞれ乗算される。前記乗算器５２２、５３２、５４１、５５２の出力は合算器５５３によりチップレベルに合算され、前記合算器５５３による合算結果は、ＭＡＣチャネル反復器（Ｒｅｐｅｔｉｔｉｏｎ Ｂｌｏｃｋ）５５４により４番反復され、順方向チャネルの各スロットの二番目パイロットバーストの直前と直後に半ばずつ伝送される。パイロットチャネル信号は乗算器５６１によりウォルシュ０番符号が乗算される。第２マルチプレクサ５６２は、第１マルチプレクサ５１３の出力と、ＭＡＣチャネル反復器５５４の出力と、前記乗算器５６１の出力を図３に示されたように連接させる。第２マルチプレクサ５６２の出力は、複素拡散器５６３で複素拡散され、基底帯域フィルタ５６４でフィルタリングされ伝送のため出力される。
【００１９】
図６は本発明の第１実施形態による端末機の送信器構造を示す図であり、この送信器はＤＲＩビットを導入したことを特徴とする。下記では本発明と関連するＤＲＩビットを基地局から受信する受信器の構造及び動作に対する説明は省略し、前記ＤＲＩビットを使用してＤＲＣシンボルを伝送するかを決定する送信器構造に対して詳細に説明する。
【００２０】
図６を参照すると、パイロットチャネルは乗算器６０１によりウォルシュ０番符号が乗算される。ＲＲＩチャネルは８直交変調器６１１により８ビットのウォルシュシンボルに変調され、ウォルシュシンボル反復器６１２で６３回反復された後、乗算器６１３によりウォルシュ０番符号が乗算される。マルチプレクサ（ＭＵＸ）６３１はＤＲＩビットによりＤＲＣチャネルが伝送されるかを制御する。前記マルチプレクサ６３１はＤＲＩビットが“１”であると、ＤＲＣシンボル（ｓｙｍｂｏｌｓ）を通過させ、ＤＲＩビットが“０”であると、ＤＲＣシンボルの伝送を遮断する。即ち、前記マルチプレクサ６３１は前記ＤＲＣシンボルをＤＲＩビットにより選択的に出力する選択器として動作する。前記ＤＲＣシンボルはブロック符号化器（Ｂｌｏｃｋ Ｅｎｃｏｄｅｒ）６３２によりブロック符号化され、前記ブロック符号化器６３２の出力である符号語（Ｃｏｄｅ Ｗｏｒｄ）は反復器（Ｃｏｄｅ Ｗｏｒｄ Ｒｅｐｅｔｉｔｉｏｎ Ｂｌｏｃｋ）６３３により反復される。前記反復器６３３の出力は一連の乗算器６３４、６３５、６３６でウォルシュ符号と乗算された後、マルチプレクサ（ＭＵＸ）６３７によりパイロット及びＲＲＩとＴＤＭされ出力される。
【００２１】
トラヒックチャネルは符号化器６４１で符号化されインタリーバ６４２によりインタリービングされた後、利得乗算器（利得制御器）６４３でデータチャネル電力利得が乗算される。利得乗算器６４３の出力は乗算器６４４によりウォルシュ２番符号が乗算される。前記マルチプレクサ６３７の出力は同位相（Ｉｎ−ｐｈａｓｅ）軸に伝送され、乗算器６４４の出力は直交位相（Ｑｕａｄｒａｔｕｒｅ）軸に伝送され、それぞれ複素拡散器６４５で拡散され基底帯域フィルタ６４６でフィルタリングされた後、伝送のため出力される。
【００２２】
＜実施形態２＞
図７は本発明の第２実施形態による順方向リンク及び逆方向リンク間のスロット送受信関係を示す図である。この実施形態によると、端末機は基地局に属するすべての端末機のプリアンブルを検出してＤＲＣチャネルを制御する。即ち、第２実施形態によると、端末機はすべての端末機に対するプリアンブルを検出することにより、現在基地局とパケットデータを送受信する端末機を判断し、前記パケットデータの伝送が終了する前に予め設定されたスロット区間でＤＲＣ伝送が遂行されるようにする。
【００２３】
前記図７に示された本発明の第２実施形態では、各使用者が他の使用者のプリアンブルも同時に検出すると、順方向に伝送されるパケットの長さを分かることができるので、スケジューリングが必要な時点までＤＲＣチャネルを伝送しない。即ち、各使用者はＤＲＣチャネル伝送が必要であるかを自ら検査してＤＲＣチャネルを制御することにより、スケジューリング時点以外にはＤＲＣチャネルを伝送しないようにする。前記ＤＲＣチャネル伝送は上述した方法に制御される。上述したように、プリアンブルは各使用者に割り当てられたＭＡＣインデックスによりウォルシュ符号がかけられ、パケットのデータ伝送率に応じてパケット長さが変わるようになる。従って、各端末機は各使用者に割り当てられたすべてのＭＡＣインデックスのウォルシュ符号に対して復号化してエネルギーを検出し、前記＜表１＞のプリアンブル反復長さ（回数）と比較することにより、現在伝送されているパケットの長さ及びスタートスロットと終了スロットの位置を把握することができる。ＤＲＣチャネルはｎ番目スロットの１番目パイロットバーストを受信した後、ｎ＋２番目スロットのためのＤＲＣ情報を伝送するので、パケットの終了スロットの２スロット前からＤＲＣチャネルを伝送する。またスタートスロットを受けてパケットの長さを分かるまでには一つのスロットが必要であるので、スタートスロット間にもＤＲＣチャネルを伝送するようになる。従って第１実施形態のように第２実施形態でも長さＮスロットのパケットに対してＤＲＣチャネルが必要でないスロットの比率は（Ｎ−３）／Ｎになる。
【００２４】
図８は本発明の第２実施形態によるＤＲＣチャネル伝送制御動作の流れを示す図であり、すべての端末機のプリアンブルを検出してＤＲＣチャネルを制御するアルゴリズムを示す。
前記図８を参照すると、端末機（ＡＴ）は８０１段階でセクター内のすべての端末機に対するプリアンブルを検出し、現在パケットの長さを判断する。即ち、基地局に属する複数の端末機それぞれは、受信プリアンブルと前記複数の端末機に対して予め設定された複数の直交符号、代表的にウォルシュ符号を乗算することにより、現在基地局からパケットを受信する端末機を判断し、前記プリアンブルに含まれた情報から伝送パケットの長さを検出する。次に８０２段階で端末機は現在パケットが二つのスロット内に終了するかを検査して、二つのスロット内に終了する場合には８０３段階で有効セクター（アクティブセットセクター）のパイロットＣ／Ｉをそれぞれ測定し、８０４段階で一番大きなＣ／Ｉと一番大きなＣ／Ｉに該当するセクターを決定する。８０５段階で端末機は前記決定されたＣ／Ｉ値を対応するＤＲＣシンボルに変換し、８０６段階で前記変換されたＤＲＣシンボルを基地局（ＡＮ）に送信する。前記８０２段階で現在パケットが二つのスロット内に終了しないことと判断される場合には、Ｃ／Ｉ測定及びＤＲＣ送信動作を省略する。即ち８０３段階乃至８０７段階の動作を遂行しない。
【００２５】
８０７段階でパケット伝送が終了したと判断されると、端末機はさらに８０１段階に戻して、すべての端末機のプリアンブルを検出して次のパケットの長さを読み出す。前記８０７段階でパケット伝送が終了しないと判断される場合には、８０８段階に進行して次のスロットを受信し、次に８０２段階に進行する。８０２段階で新しい受信したスロットに対して二つのスロット内に現在パケットが終了するかを検査した後、８０３段階乃至８０６段階の動作を遂行してＤＲＣを送信するかを決定する。
【００２６】
図９は本発明の第２実施形態による端末機の送信器構造を示す図であり、この送信器はすべての端末機のプリアンブルを検出してＤＲＣチャネルを制御することを特徴とする。前記図９に示された構成要素中、パイロットチャネル（Ｐｉｌｏｔ ｃｈａｎｎｅｌ）、ＲＲＩ（Ｒｅｖｅｒｓｅ Ｒａｔｅ Ｉｎｄｉｃａｔｏｒ）チャネル及びトラヒックチャネル（Ｔｒａｆｆｉｃ ｃｈａｎｎｅｌ）に対する送信器構造は、上述した図６の構成と同一であるので、下記では本発明と関連するすべての使用者からの受信プリアンブルを使用してＤＲＣシンボルを伝送するかを決定する送信器構造のみに対して詳細に説明する。
【００２７】
前記図９を参照すると、プリアンブルを受信すると、端末機のプリアンブルバッファー（Ｐｒｅａｍｂｌｅ Ｂｕｆｆｅｒ）９０１は前記受信プリアンブルを貯蔵する。ウォルシュ符号発生器（Ｗａｌｓｈ ｇｅｎｅｒａｔｏｒ）９０２はセクター内のすべての端末機のウォルシュ符号を発生する。乗算器９０３は前記バッファー９０１に貯蔵された受信プリアンブルと前記ウォルシュ符号を乗算する。累積器（Ａｃｃｕｍｕｌａｔｏｒ）９０４は前記乗算器９０３の乗算結果を累積し、エネルギー検出器（Ｅｎｅｒｇｙ ｄｅｔｅｃｔｏｒ）９０５は前記累積結果からエネルギーを検出する。パケット長さ検出器（Ｐａｃｋｅｔ ｌｅｎｇｔｈ ｄｅｔｅｃｔｏｒ）９０６は前記エネルギー検出器９０５の出力からパケットの長さ情報を検出する。パケットの長さを検出すると、図７のようにＤＲＣシンボル伝送の必要な区間を分かることができるので、ＤＲＣ制御器（ｃｏｎｔｒｏｌｌｅｒ）９０７はＤＲＣシンボルを入力して選択的に出力するマルチプレクサ（ＭＵＸ）９２１を制御して、図７のようにＤＲＣシンボルが選択的に伝送されるようにする。前記ＤＲＣ制御器９０７はマルチプレクサ９２１を制御してパケットが終了する二つのスロット前からＤＲＣシンボルを通過させ、その以外の区間ではＤＲＣシンボルの伝送が遮断されるようにする。即ちパケットの長さが３スロット未満である場合は、ＤＲＣシンボルは常に通過される。
【００２８】
上述した実施形態による動作は、複数のスロットに構成される第１伝送区間で、複数の端末機中のある端末機が基地局からパケットデータを受信する場合、この端末機は前記第１伝送区間以後の第２伝送区間で伝送されるパケットデータの伝送率を要求するために、ＤＲＣシンボルを前記第１伝送区間が終了する以前の予め設定されたスロット（最終スロットから２番目以前スロット）から伝送する。このような動作は前記第１伝送区間で基地局から伝送されたパケットデータを受信する端末機だけではなく、受信しない端末機でも遂行されることもできる。即ち、複数の端末機中、前記第１伝送区間で基地局からパケットデータを受信する端末機を第１グループの端末機と仮定し、受信しない端末機を第２グループの端末機と仮定する場合、前記第２グループの端末機は前記第１グループの端末機と基地局間のパケットデータ伝送が終了する以前の予め設定されたスロットでＤＲＣシンボルを基地局に伝送する。これと類似に、前記第１グループの端末機は前記第１グループの端末機と基地局間のパケットデータ伝送が終了する以前の予め設定されたスロットでＤＲＣシンボルを基地局に伝送する。
【００２９】
＜実施形態３＞
図１０は本発明の第３実施形態によるＤＲＣチャネル伝送制御動作時の順方向リンク及び逆方向リンク間のスロット送受信関係を示す図である。この実施形態によると、順方向チャネル使用者のＤＲＣチャネルが制御される。
【００３０】
前記図１０を参照すると、本発明の第３実施形態では基地局（ＡＮ）からパケットを受信している端末機（ＡＴ）のＤＲＣチャネルのみを制御するので、第２実施形態とは異なり、他の端末機のプリアンブルを検出するための検出器が不要である。現在順方向トラヒックチャネルが割り当てられた端末機（ＡＴ）は自分のプリアンブルを検出すると、パケットの長さ及びスタートスロットと終了スロットの位置を検出することができる。また、パケットの終了前にスケジューリングをする時点まで、ＤＲＣ情報が必要でない時間区間を把握することができる。第２実施形態のように、この第３実施形態でもスタートスロット区間と最終二つのスロットでＤＲＣチャネルを伝送する。
【００３１】
図１１は本発明の第３実施形態によるＤＲＣチャネル伝送制御動作の流れを示す図であり、順方向トラヒックチャネルを受信する端末機のＤＲＣチャネルを制御するアルゴリズムを示す。
前記図１１を参照すると、端末機（ＡＴ）は１１０１段階で基地局（ＡＮ）が送信したパケットのプリアンブルを検索し、１１０２段階で自分にプリアンブルが受信されたか、即ち基地局から伝送されたパケットが受信されたかを判断する。端末機（ＡＴ）に受信されたパケットがあると、１１０３段階で受信されたパケットが二つのスロット内に終了するかを検査する。前記１１０３段階で受信されたパケットが二つのスロット内に終了すると、１１０４段階で有効セクターのパイロットＣ／Ｉをそれぞれ測定し、前記測定結果により１１０５段階で一番大きなＣ／ＩとそのＣ／Ｉに該当するセクターを決定し、１１０６段階で前記Ｃ／Ｉ値をＤＲＣシンボルに形成し、１１０７段階で前記形成された前記ＤＲＣシンボルを基地局に送信する。前記１１０３段階で現在パケットが二つのスロット内に終了しないと、Ｃ／Ｉ測定及びＤＲＣ送信動作、即ち前記１１０４段階乃至１１０７段階の動作を省略する。前記１１０７段階を遂行した後、１１０８段階でパケットが終了したかを判断する。前記１１０８段階でパケット伝送が終了すると、端末機（ＡＴ）はさらに１１０９段階で次のスロットを受信する。前記１１０９段階を遂行した後には、１１０３段階に戻して新しい受信したスロットに対して現在パケットが二つのスロット内に終了するかを検査し、検査結果によりＤＲＣチャネルを送信するかを決定する。
【００３２】
図１２は本発明の第３実施形態による端末機の送信器の構造を示す図であり、この送信器は順方向トラヒックチャネルを受信する端末機のＤＲＣチャネルを制御することを特徴とする。前記図１２に示された構成要素中、パイロットチャネル（Ｐｉｌｏｔ ｃｈａｎｎｅｌ）、ＲＲＩ（Ｒｅｖｅｒｓｅ Ｒａｔｅ Ｉｎｄｉｃａｔｏｒ）チャネル及びトラヒックチャネル（Ｔｒａｆｆｉｃ ｃｈａｎｎｅｌ）に対する送信器構造は、上述した図６の構成と同一であるので、下記では本発明と関連するＤＲＣシンボルを伝送するかを決定する送信器構造のみに対して詳細に説明する。
【００３３】
前記図１２を参照すると、端末機のプリアンブル検出器（Ｐｒｅａｍｂｌｅ ｄｅｔｅｃｔｏｒ）１２０１は自分に伝送されたプリアンブルを検出する。パケット長さ検出器（Ｐａｃｋｅｔ ｌｅｎｇｔｈ ｄｅｔｅｃｔｏｒ）１２０２は前記プリアンブル検出器１２０１により検出されたプリアンブルを利用してパケットの長さ情報を検出する。パケットの長さを分かると、図１０のようにＤＲＣシンボル伝送の必要な区間を分かることができるので、ＤＲＣ制御器（ｃｏｎｔｒｏｌｌｅｒ）１２０３はＤＲＣシンボルを入力して選択的に出力するマルチプレクサ（ＭＵＸ）１２２１を制御してＤＲＣシンボルが選択的に伝送されるようにする。前記ＤＲＣ制御器１２０３はマルチプレクサ１２２１を制御してパケットが終了する二つのスロット前からＤＲＣシンボルを通過させ、その以外の区間ではＤＲＣシンボルの伝送が遮断されるようにする。即ちパケットの長さが３スロット未満である時は、ＤＲＣシンボルは常に通過される。
【００３４】
＜実施形態４＞
上述した第１実施形態及び第２実施形態では全体使用者のＤＲＣチャネルを制御して干渉負荷を低減する。しかし、ＤＲＣチャネルは図１のように６４チップ単位のＴＤＭスロットにパイロットチャネル及びＲＲＩチャネルと時分割され伝送されるので、全体使用者のＤＲＣチャネルを伝送しなくても各使用者のパイロットチャネル及びＲＲＩチャネルは同一時点に伝送される。その結果、パイロット及びＲＲＩチャネルが伝送される時点では干渉負荷が低減されない。従って、ＤＲＣチャネルが伝送されない区間で使用者間パイロットチャネル及びＲＲＩチャネルの伝送時点を異なるようにすると、干渉負荷を均等化することができる。これを考慮したことが本発明の第４実施形態である。
【００３５】
図１３Ａ乃至図１３Ｃは本発明の第４実施形態によりＤＲＣチャネルが伝送されない区間でパイロット及びＲＲＩチャネルの伝送時点を示す図である。
前記図１３Ａ乃至図１３Ｃを参照すると、全体使用者を偶数番目ＭＡＣインデックスが割り当てられた使用者グループと、奇数番目ＭＡＣインデックスが割り当てられた使用者グループに分けてパイロット及びＲＲＩチャネルの伝送時点を異なるようにする。使用者グループを分ける基準は本実施形態と異なる方式を使用することもできる。前記図１３Ｂに示されたように、奇数番目ＭＡＣインデックスグループは奇数番目ＴＤＭスロットにパイロットとＲＲＩチャネルを伝送する。前記図１３Ｃに示されたように偶数番目ＭＡＣインデックスグループは偶数番目ＴＤＭスロットにパイロットとＲＲＩチャネルを伝送する。このように使用者グループ間パイロット及びＲＲＩチャネル伝送時点を異なるようにして、干渉負荷を均等化することにより、逆方向システム容量の増大に寄与することができる。即ち、複数の端末機が奇数及び偶数のように第１グループの端末機及び第２グループの端末機に区分されると仮定する場合、ＤＲＣシンボルが伝送されない場合に、パイロット信号とＲＲＩチャネルを前記第１グループの端末機は第１グループのスロット（例：奇数番目スロット）で伝送し、前記第２グループの端末機は第２グループのスロット（例：偶数番目スロット）で伝送する。
【００３６】
前記第４実施形態による動作は独立的に遂行されることもでき、上述した第１実施形態乃至第３実施形態と連係して遂行されることもできる。
【００３７】
一方、本発明の詳細な説明では具体的な実施形態に対して説明したが、本発明の範囲から外れない限り、各種変更ができるのは公知の事実である。例えば、本発明の具体的な実施形態は、代表的にＨＤＲシステムに適用されるものと説明したが、ＨＤＲシステム以外にもパケットデータ及びＤＲＣ情報を伝送するすべての通信システムに適用されることができる。また、本発明の具体的な実施形態ではウォルシュ符号のように具体的な限定が使用されたが、このようなウォルシュ符号は直交符号の代表的な例として使用されたもので、ウォルシュ符号に限定される必要はない。
【００３８】
【発明の効果】
上述したように本発明はＨＤＲシステムの逆方向リンクでＤＲＣ情報が必要な時点のみに伝送されるようにＤＲＣチャネルの伝送を制御することにより、逆方向リンクの干渉負荷を低減し、これによって逆方向システム容量が増大されるようにする利点がある。またＤＲＣチャネルを伝送しない区間では使用者間パイロットとＲＲＩチャネルの伝送時点を異なるように調整することにより、干渉負荷を均等にしてＤＲＣチャネルを伝送しない時に生じる干渉負荷の減少効果を高める利点がある。
【図面の簡単な説明】
【図１】一般的なＨＤＲシステムで逆方向リンクを通じて伝送されるパイロットチャネル、ＤＲＣチャネル、ＲＲＩチャネルの穿孔パターンを示す図である。
【図２】一般的なＨＤＲシステムで順方向リンクの伝送率によるデータパケットの長さを示す図である。
【図３】本発明の第１実施形態によるＤＲＣチャネル伝送制御動作時の順方向リンク及び逆方向リンク間のスロット送受信関係を示す図である。
【図４】本発明の第１実施形態によるＤＲＣチャネル伝送制御動作の流れを示す図である。
【図５】本発明の第１実施形態による基地局の送信器構造を示す図である。
【図６】本発明の第１実施形態による端末機の送信器構造を示す図である。
【図７】本発明の第２実施形態によるＤＲＣチャネル伝送制御動作時の順方向リンク及び逆方向リンク間のスロット送受信関係を示す図である。
【図８】本発明の第２実施形態によるＤＲＣチャネル伝送制御動作の流れを示す図である。
【図９】本発明の第２実施形態による端末機の送信器構造を示す図である。
【図１０】本発明の第３実施形態によるＤＲＣチャネル伝送制御動作時の順方向リンク及び逆方向リンク間のスロット送受信関係を示す図である。
【図１１】本発明の第３実施形態によるＤＲＣチャネル伝送制御動作の流れを示す図である。
【図１２】本発明の第３実施形態による端末機の送信器の構造を示す図である。
【図１３Ａ】本発明の第４実施形態によりＤＲＣチャネルが伝送されない区間でパイロット及びＲＲＩチャネルの伝送区間を示す図である。
【図１３Ｂ】本発明の第４実施形態によりＤＲＣチャネルが伝送されない区間でパイロット及びＲＲＩチャネルの伝送区間を示す図である。
【図１３Ｃ】本発明の第４実施形態によりＤＲＣチャネルが伝送されない区間でパイロット及びＲＲＩチャネルの伝送区間を示す図である。
【符号の説明】
５０１  符号化器
５０２  変調器
５０３  インタリーバ
５０４、５２１、５３１  反復器
５０５  デマルチプレクサ
５０６  ウォルシュカバー処理器
５０７  合算器（Ｗａｌｓｈ Ｃｈｉｐ Ｌｅｖｅｌ Ｓｕｍｍｅｒ）
５１１  プリアンブル反復器
５１２  ウォルシュ拡散器
５１３  第１マルチプレクサ
５２２、５３２、５４１、５５２、５６１、６０１、６１３、６３４、６３５、６３６、６４４、９０３  乗算器
５５１  利得制御器
５５３  合算器
５５４  ＭＡＣチャネル反復器（Ｒｅｐｅｔｉｔｉｏｎ Ｂｌｏｃｋ）
５６２  第２マルチプレクサ
５６３  複素拡散器
５６４  基底帯域フィルタ
６１１  直交変調器
６１２  ウォルシュシンボル反復器
６３１、６３７、９２１、１２２１  マルチプレクサ
６３２  ブロック符号化器
６３３  反復器（Ｃｏｄｅ Ｗｏｒｄ Ｒｅｐｅｔｉｔｉｏｎ Ｂｌｏｃｋ）
６４１  符号化器
６４２  インタリーバ
６４３  利得乗算器（利得制御器）
６４５  複素拡散器
６４６  基底帯域フィルタ
９０１  プリアンブルバッファー（Ｐｒｅａｍｂｌｅ Ｂｕｆｆｅｒ）
９０２  ウォルシュ符号発生器（Ｗａｌｓｈ ｇｅｎｅｒａｔｏｒ）
９０４  累積器（Ａｃｃｕｍｕｌａｔｏｒ）
９０５  エネルギー検出器（Ｅｎｅｒｇｙ ｄｅｔｅｃｔｏｒ）
９０６  パケット長さ検出器（Ｐａｃｋｅｔ ｌｅｎｇｔｈ ｄｅｔｅｃｔｏｒ）
９０７  ＤＲＣ制御器（ｃｏｎｔｒｏｌｌｅｒ）
１２０１  プリアンブル検出器（Ｐｒｅａｍｂｌｅ ｄｅｔｅｃｔｏｒ）
１２０２  パケット長さ検出器（Ｐａｃｋｅｔ ｌｅｎｇｔｈ ｄｅｔｅｃｔｏｒ）
１２０３  ＤＲＣ制御器（ｃｏｎｔｒｏｌｌｅｒ）
【図１】
0003602524.tif 000004
【図２】
0003602524.tif 000005
【図３】
0003602524.tif 000006
【図４】
0003602524.tif 000007
【図５】
0003602524.tif 000008
【図６】
0003602524.tif 000009
【図７】
0003602524.tif 000010
【図８】
0003602524.tif 000011
【図９】
0003602524.tif 000012
【図１０】
0003602524.tif 000013
【図１１】
0003602524.tif 000014
【図１２】
0003602524.tif 000015
【図１３】
0003602524.tif 000016